(57)【要約】【課題】簡易に且つ充分な安定をもって鉄骨部材を仮置き可能な鉄骨仮置き治具を提供する。【解決手段】鉄骨柱部材１０を床に仮置きする際に、その鉄骨柱部材１０における床面に近接する近接部分Ｋと当該床面との間に介在させる鉄骨仮置き用治具１である。床に載置されて床面と上記近接部分Ｋとの間に配置させる床設置部２と、その床設置部２から立設し且つ上記近接部分Ｋを挟んで対向する一対の支持部と、上記近接部分Ｋに開口したボルト穴１４に対向可能な位置で上記支持部に開口した取付け穴４と、上記ボルト穴１４及び取付け穴４と共に貫通するように挿入される鋼棒５とを備える。鋼棒５で連結した状態では近接部分Ｋが上記床設置部２と非接触となるのに充分な距離に、床設置部２と取付け穴４との間の距離が設定してある。【選択図】        図１
2005336922.tif 000002
【特許請求の範囲】
【請求項１】
他の鉄骨部材と接合するためのボルト穴が開口した鉄骨部材を床に仮置きする際に、その鉄骨部材における床面に近接する近接部分と当該床面との間に介在させる鉄骨仮置き用治具であって、
床に載置されて床面と上記近接部分との間に配置させる床設置部と、その床設置部から立設し且つ上記近接部分を挟んで対向する一対の支持部と、上記近接部分に設けたボルト穴に対向可能な位置で上記支持部に開口する取付け穴と、上記ボルト穴及び取付け穴を共に貫通するように挿入されて上記支持部と近接部分とを連結する挿入部材とを備え、その挿入部材で連結した状態では近接部分が上記床設置部と非接触となるのに充分な距離に床設置部と取付け穴との間の距離を設定してあることを特徴とする鉄骨仮置き用治具。
【発明の詳細な説明】
【技術分野】
【０００１】
本発明は、現場に搬入した鉄骨柱部材や梁部材等の鉄骨部材を仮置きする際に使用される鉄骨仮置き用治具に関する。
【背景技術】
【０００２】
現場に搬入された鉄骨柱部材を床に仮置きする場合、従来にあっては、床に端太角等を配置し、その端太角等の上に上記鉄骨柱部材を載置することで、当該鉄骨柱部材の角が床と直接、接触しないようにしている。
また、先行文献１には、鉄骨部材の転倒防止のために、鉄骨部材の梁同士を連結具で連結することが開示されている。
【特許文献１】特開２００３−０９０１３１号公報
【発明の開示】
【発明が解決しようとする課題】
【０００３】
しかしながら、端太角などの上に載置して床との直接接触することを防止する仮置きの仕方では安定度があまり良くなく、特に、古くなった端太角を使用した場合などにあっては端太角が潰れてさらに不安定になるおそれがあり、上記連結具で鉄骨材同士を連結するなどして別途安定性を確保する必要がある場合もある。
また、鉄骨柱部材の接合部先端を直接、端太角や床に当接させることは、接合部の角を傷付ける原因になる場合があるため、当該接合部の角を保護するよう注意する必要がある。さらに、仮置き場所が仕上げた床の場合には、鉄骨柱部材の角が直接床面に当接しないように十分な安定性をもって当該鉄骨柱部材を仮置きする必要もある。このようなことは、上記連結具で連結しても起こり得るものである。
本発明は、上記のような点に鑑みてなされたもので、簡易な作業で且つ充分な安定をもって鉄骨部材を仮置き可能な鉄骨仮置き治具を提供することを課題としている。
【課題を解決するための手段】
【０００４】
上記課題を解決するために、本発明は、他の鉄骨部材と接合するためのボルト穴が開口した鉄骨部材を床に仮置きする際に、その鉄骨部材における床面に近接する近接部分と当該床面との間に介在させる鉄骨仮置き用治具であって、
床に載置されて床面と上記近接部分との間に配置させる床設置部と、その床設置部から立設し且つ上記近接部分を挟んで対向する一対の支持部と、上記近接部分に設けたボルト穴に対向可能な位置で上記支持部に開口する取付け穴と、上記ボルト穴及び取付け穴を共に貫通するように挿入されて上記支持部と近接部分とを連結する挿入部材とを備え、その挿入部材で連結した状態では近接部分が上記床設置部と非接触となるのに充分な距離に床設置部と取付け穴との間の距離を設定してあることを特徴とするものである。
【発明の効果】
【０００５】
本発明によれば、簡易且つ確実に鉄骨柱部材などの鉄骨部材を安定な状態で仮置きすることが出来る。
【発明を実施するための最良の形態】
【０００６】
次に、本発明の実施形態について図面を参照しつつ説明する。
図１は、本実施形態の鉄骨仮置き用治具１を示す斜視図であり、図２は、接合用のボルト穴を有する鉄骨部材としての鉄骨柱部材１０を仮置きした状態を示す図である。
本実施形態では鉄骨柱部材１０として図２に示すようなものを例示する。この鉄骨柱部材１０は、角柱からなる鋼管柱１１を本体とした梁仕口部分の鉄骨柱部材１０であって、梁と接合するためのＨ形鋼（梁接合部１２，１３）が４本、鋼管柱１１に接合され四方に突設している。この鉄骨柱部材１０を横にしてそのまま仮置きすると、下側の梁接合部１２のフランジ１２ａの先端部下側が近接部分Ｋとして床に近接することとなる。このフランジ１２ａ先端部下側からなる近接部分Ｋには、鉄骨梁部材を接合するためのボルト穴１４が設けられている。
【０００７】
次に、本実施形態の鉄骨仮置き用治具１の構成について説明すると、図１に示すように、床に載置される板材からなる安定性の良い床設置部２と、その床設置部２から立設する一対の板状部材３とを備える。なお、この鉄骨仮置き用治具１は鉄などの硬質の部材から構成されている。
上記一対の板状部材３は、支持部を構成し、上記フランジ１２ａの先端部下側の角部からなる近接部分Ｋを隙間を持って挿入可能な間隔を開けて左右で対向している。その各板状部材３には、挿入した近接部分Ｋのボルト穴１４と対向可能な取付け穴４が開口している。床設置部２から取付け穴４までの高さは、ボルト穴１４からフランジ１２ａの先端角部までの距離よりも長く設定されていて、取付け後にフランジ１２ａが床設置部２に接触することを防止している。
また、上記対向する２つの取付け穴４及びボルト穴１４を共に貫通した状態を確保するのに充分な長さと太さを持った鋼棒５を有する。この鋼棒５は、挿入部材を構成する。なお、挿入部材は、鋼棒５に限定されず、ボルト等であっても良い。
【０００８】
次に、上記構成の鉄骨仮置き用治具１を使用した鉄骨柱部材１０の仮置きの仕方について説明する。
なお、本実施形態では、現場における仕上げた床に対し、搬入してきた鉄骨柱部材１０を横にして仮置きする場合を例示する。
仕上がった床面を道板（不図示）により養生し、クレーン等で吊って搬入してきた上記鉄骨柱部材１０を上記道板を介して床の上に載置する際に、下側に位置する左右の梁接合部１２の先端下側（Ｋ）に対しそれぞれ上記鉄骨仮置き用治具を２個づつ計４個、取り付ける。
【０００９】
詳説すると、上記鉄骨柱部材１０を床から若干浮かせた位置において、下側に位置する各梁接合部１２における２本のフランジ１２ａについて、その各フランジ１２ａ先端部の下側の角部（Ｋ）のボルト穴１４と左右の取付け穴４とが対向させた状態として、鋼棒５を差し込むことで鉄骨仮置き用治具１を取り付ける。この状態では、フランジ１２ａの角部が床設置部２に触れない。
【００１０】
このように下側に位置する左右の梁接合部１２にそれぞれ２個づつ鉄骨仮置き用治具１を取り付ける。この状態では、各鉄骨仮置き用治具１は、取付け穴４及びボルト穴１４を貫通した棒鋼を軸として回動自在となっていることから、自重によって床設置部２が下側に位置する。
４個の鉄骨仮置き用治具１の取付けが完了したら、徐々に鉄骨柱部材１０を降下させて床の上に降ろす。
【００１１】
このとき、上記鉄骨柱部材１０は、下側に位置する左右の梁接合部１２の角部が直接に床に当接することなく、上記鉄骨仮置き用治具１を介して載置することとなる。これによって４個の鉄骨仮置き用治具１で支持されることで鉄骨柱部材１０は安定して載置される。また、フランジ１２ａの角が直接に床に近接しないことから、当該フランジ１２ａの角の曲がりが防止出来ると共に、フランジ１２ａの角によって床に疵が付くことが防止される。なお、本実施形態では床面の養生のために道板を敷設している。
【００１２】
また、上記鉄骨仮置き用治具は、挿入部材を構成する鋼棒５を抜くことで簡単に取り外すことが出来る。
ここで、上記鋼棒５の代わりにボルト及びそのボルトの軸部先端に螺合するナットの組み合わせから挿入部材を構成しても良い。この場合には、鉄骨柱部材１０を現場の仮置き場所に搬入してくる前から（例えば、鉄骨柱部材１０を組み立てたときから）予め上記鉄骨仮置き用治具１を取り付けておくことが出来る。この場合には、上記鉄骨仮置き用治具の取り外しは、鉄骨柱部材１０を先に建て込んだ別の鉄骨柱部材に組み付けてから行っても良い。  
【００１３】
また、上記実施形態では、鉄骨部材として鉄骨柱部材１０を例示したが、例えばＨ形鋼等からなり、上記鉄骨柱部材１０に接合するためのボルト穴が長手方向両端部に設けられた鉄骨梁部材であっても良い。この場合には、長手方向両端部における下側角部にあるそれぞれのボルト穴を介して鉄骨仮置き用治具を取り付ければよい。このとき、仮置きした鉄骨梁の一端部を持ち上げる際に、他端部に取り付けた２個の鉄骨仮置き用治具１の棒鋼を軸として持ち上げたりすることも出来る。
要は、他の鉄骨部材と接合するためのボルト穴が開口している鉄骨部材であれば仮置き時に使用可能である。
【図面の簡単な説明】
【００１４】
【図１】本発明に基づく実施形態に係る鉄骨仮置き用治具を示す斜視図である。
【図２】本発明に基づく実施形態に係る鉄骨仮置き用治具の使用例を示す図である。
【符号の説明】
【００１５】
１    鉄骨仮置き用治具
２    床設置部
３    板状部材（支持部）
４    取付け穴
５    鋼棒（挿入部材）
１０  鉄骨柱部材（鉄骨部材）
１２，１３  梁接合部
１２ａ  フランジ
Ｋ    近接部分
【図１】
2005336922.tif 000003
【図２】
2005336922.tif 000004